(57)【要約】      （修正有）【課題】照明付きの眼鏡により、夜盲症の人は暗い環境で路面又は物がはっきり見えない状況を緩和し、通行車両の安全を保証し、また近視と近視ではない人の異なるかけ方の設計により、使用の範囲を広めた夜盲症患者用の眼鏡を提供する。【解決手段】ブリッジ１３を含み、ブリッジ１３の左右端面には対称のリム１１が固定的に連結され、リム１１の上端には光源の明るさの変化とともに自分の抵抗値が変わる光感応モジュール１２が固定的に連結され、リム１１の中には前後に貫通している見チャンバ１７が設置され、見チャンバ１７のうち対称中心から離れている一端には後方へ開口した収納チャンバ２０が設置され、見チャンバ１７の上端には伝動チャンバ１５が設置されている。【選択図】図１
2020184053.tif 000002
【特許請求の範囲】
【請求項１】
正面視で、ブリッジを含み、前記ブリッジの左右端面には対称のリムが固定的に連結され、前記リムの上端には光源の明るさの変化とともに自分の抵抗値が変わる光感応モジュールが固定的に連結され、前記リムの中には前後に貫通している見チャンバが設置され、前記見チャンバのうち対称中心から離れている一端には後方へ開口した収納チャンバが設置され、前記見チャンバの上端には伝動チャンバが設置され、前記伝動チャンバの底端内壁には配列されるように分布している六組の光補充装置がスライドできるように連結され、前記伝動チャンバの底端内壁には前記光補充装置に給電する左右対称の電源が設置され、前記電源と、前記光補充装置と、前記光感応モジュールとの間が閉回路を形成し、前記ブリッジの中には駆動チャンバが設置され、前記駆動チャンバの中には左右に伸びており、且つそれぞれ前記伝動チャンバと前記収納チャンバとを貫通している伝動軸が回転できるように連結され、前記伝動軸には前記収納チャンバの中に位置している折り畳みテンプルが設置され、近視ではない夜盲症の人が当該設備をかけることに便利を与え、前記伝動軸には前記伝動チャンバの中に位置しているカムが設置され、前記カムが前記光補充装置を制御し、かける時だけ回路を通電させることができ、前記伝動軸には前記駆動チャンバの中に位置している片方向継手装置が設置され、前記ブリッジの中には前記駆動チャンバの上端に位置しており、且つ後方へ開口した接合溝が設置され、前記接合溝の中には前記片方向継手装置を制御する固定装置が設置され、前記固定装置は近視眼鏡のリムに固定されることができ、近視の人がかけることに便利を与えることを特徴とする夜盲症患者用の眼鏡。
【請求項２】
前記光補充装置は、前記伝動チャンバの底端内壁とスライドできるように連結され、且つ配列されるように分布している六つの電球を含み、前記電球の上端には前記カムと当接している当接板が固定的に連結され、前記当接板には前記電球の左右端に位置している対称の電極が設置され、前記電極と前記電源との間が当接でき、前記当接板の下側と前記伝動チャンバの底端内壁との間には左右対称の復帰バネが連結されたことを特徴とする請求項１に記載の夜盲症患者用の眼鏡。
【請求項３】
前記折り畳みテンプルは、前記伝動軸に設置され、且つ前記収納チャンバの中に位置しているテンプルを含み、前記テンプルの前側端面には前方へ開口しており、且つ下方へ開口している開口溝が設置され、前記開口溝の中には伸縮ロッドが回転できるように連結され、前記伸縮ロッドには回転中心一端から離れている掛けロッドが設置され、前記掛けロッドには耳と当接しているフックが設置され、前記伸縮ロッドには前記フックとスライドできるように連結されたスライド溝が設置され、前記テンプルの後端には回転軸が回転できるように連結され、前記回転軸にはつまみが設置され、前記回転軸には前記つまみの前端に位置している回転盤が設置され、前記回転盤と前記テンプルとの間にはトルクバネが連結され、前記回転盤の後側端面にはチェーンロッドがヒンジにより連結され、前記テンプルの後端端面には上下対称のスライドレールが設置され、前記スライドレールには前記チェーンロッドとヒンジにより連結されたロックロッドがスライドできるように連結され、前記収納チャンバの中には前記ロックロッドと当接している上下対称のロック溝が設置されたことを特徴とする請求項１に記載の夜盲症患者用の眼鏡。
【請求項４】
前記片方向継手装置は、前記伝動軸と回転できるように連結され、且つ前記駆動チャンバの中に位置しているリングギヤを含み、前記リングギヤの内輪には昇降溝が設置され、前記昇降溝の中には推しロッドがスライドできるように連結され、前記推しロッドと前記昇降溝の内壁との間には引っ張りバネが連結され、前記伝動軸には前記推しロッドと当接している回し輪が設置され、前記接合溝の底端内壁には前記リングギヤと噛み合うように連結された始動ロッドがスライドできるように連結され、前記始動ロッドには前記接合溝の中に位置している推しブロックが設置され、前記推しブロックの下側と前記接合溝の底端内壁との間には圧縮バネが連結されたことを特徴とする請求項１に記載の夜盲症患者用の眼鏡。
【請求項５】
前記固定装置は前記接合溝とスライドできるように連結された固定ブロックを含み、前記固定ブロックと前記推しブロックとの間が当接して連結され、前記固定ブロックの中には後方へ開口した置き溝が設置され、前記置き溝には弾性復元力により復帰できる上下対称のバックルが設置され、前記固定ブロックの中には上方へ開口した斜面溝が設置され、前記接合溝の上端内壁には凹溝が設置され、前記凹溝の中には前記斜面溝と当接している引っ掛かりロッドがスライドできるように連結され、前記引っ掛かりロッドと前記凹溝の上端内壁との間には緩衝バネが連結されていることを特徴とする請求項１又は請求項４に記載の夜盲症患者用の眼鏡。
【発明の詳細な説明】
【技術分野】
【０００１】
本発明は眼鏡技術分野を取り上げて、具体的には夜盲症患者用の眼鏡である。
【背景技術】
【０００２】
夜盲症患者が夜に出かける時、危険の程度が普通の人よりよほど高く、特に街灯のない道で歩く又は運転することには、危険が潜んでおり、しかし、現段階では夜盲症患者専用の眼鏡はまだなく、本発明は上記の問題を解決できる装置を開示した。
【先行技術文献】
【特許文献】
【０００３】
【特許文献１】中国特許出願公開第１００５８２８７０号明細書
【発明の概要】
【発明が解決しようとする課題】
【０００４】
本発明は夜盲症患者用の眼鏡を提供し、従来技術における上記欠点を解消することを目的とする。
【課題を解決するための手段】
【０００５】
本発明の夜盲症患者用の眼鏡は、ブリッジを含み、前記ブリッジの左右端面には対称のリムが固定的に連結され、前記リムの上端には光源の明るさの変化とともに自分の抵抗値が変わる光感応モジュールが固定的に連結され、前記リムの中には前後に貫通している見チャンバが設置され、前記見チャンバのうち対称中心から離れている一端には後方へ開口した収納チャンバが設置され、前記見チャンバの上端には伝動チャンバが設置され、前記伝動チャンバの底端内壁には配列されるように分布している六組の光補充装置がスライドできるように連結され、前記伝動チャンバの底端内壁には前記光補充装置に給電する左右対称の電源が設置され、前記電源と、前記光補充装置と、前記光感応モジュールとの間が閉回路を形成し、前記ブリッジの中には駆動チャンバが設置され、前記駆動チャンバの中には左右に伸びており、且つそれぞれ前記伝動チャンバと前記収納チャンバとを貫通している伝動軸が回転できるように連結され、前記伝動軸には前記収納チャンバの中に位置している折り畳みテンプルが設置され、近視ではない夜盲症の人が当該設備をかけることに便利を与え、前記伝動軸には前記伝動チャンバの中に位置しているカムが設置され、前記カムが前記光補充装置を制御し、かける時だけ回路を通電させることができ、前記伝動軸には前記駆動チャンバの中に位置している片方向継手装置が設置され、前記ブリッジの中には前記駆動チャンバの上端に位置しており、且つ後方へ開口した接合溝が設置され、前記接合溝の中には前記片方向継手装置を制御する固定装置が設置され、前記固定装置は近視眼鏡のリムに固定されることができ、近視の人がかけることに便利を与える。
【０００６】
好ましくは、前記光補充装置は、前記伝動チャンバの底端内壁とスライドできるように連結され、且つ配列されるように分布している六つの電球を含み、前記電球の上端には前記カムと当接している当接板が固定的に連結され、前記当接板には前記電球の左右端に位置している対称の電極が設置され、前記電極と前記電源との間が当接でき、前記当接板の下側と前記伝動チャンバの底端内壁との間には左右対称の復帰バネが連結され、前記電球の中は電流の大きさの変化により、自分の明るさを変える。
【０００７】
好ましくは、前記折り畳みテンプルは、前記伝動軸に設置され、且つ前記収納チャンバの中に位置しているテンプルを含み、前記テンプルの前側端面には前方へ開口しており、且つ下方へ開口している開口溝が設置され、前記開口溝の中には伸縮ロッドが回転できるように連結され、前記伸縮ロッドには回転中心一端から離れている掛けロッドが設置され、前記掛けロッドには耳と当接しているフックが設置され、前記伸縮ロッドには前記フックとスライドできるように連結されたスライド溝が設置され、前記テンプルの後端には回転軸が回転できるように連結され、前記回転軸にはつまみが設置され、前記回転軸には前記つまみの前端に位置している回転盤が設置され、前記回転盤と前記テンプルとの間にはトルクバネが連結され、前記回転盤の後側端面にはチェーンロッドがヒンジにより連結され、前記テンプルの後端端面には上下対称のスライドレールが設置され、前記スライドレールには前記チェーンロッドとヒンジにより連結されたロックロッドがスライドできるように連結され、前記収納チャンバの中には前記ロックロッドと当接している上下対称のロック溝が設置され、前記ロック溝が前記ロックロッドへの制限により、収納状態の安定を保証し、またそれぞれ前記テンプルと、前記伸縮ロッドと、前記掛けロッドとを反転させ、三者の折り畳み又は広がりにより、テンプルの機能を実現する。
【０００８】
好ましくは、前記片方向継手装置は、前記伝動軸と回転できるように連結され、且つ前記駆動チャンバの中に位置しているリングギヤを含み、前記リングギヤの内輪には昇降溝が設置され、前記昇降溝の中には推しロッドがスライドできるように連結され、前記推しロッドと前記昇降溝の内壁との間には引っ張りバネが連結され、前記伝動軸には前記推しロッドと当接している回し輪が設置され、前記接合溝の底端内壁には前記リングギヤと噛み合うように連結された始動ロッドがスライドできるように連結され、前記始動ロッドには前記接合溝の中に位置している推しブロックが設置され、前記推しブロックの下側と前記接合溝の底端内壁との間には圧縮バネが連結され、前記推しロッドが自身の重力のもとで、前記昇降溝から滑り出ることは連結状態であり、これにより前記リングギヤと前記伝動軸とが同期回転し、前記推しロッドが自身の重力のもとで、前記昇降溝の内部にスライドすることは切断状態であり、前記リングギヤと前記伝動軸とが同期回転しない。
【０００９】
好ましくは、前記固定装置は前記接合溝とスライドできるように連結された固定ブロックを含み、前記固定ブロックと前記推しブロックとの間が当接して連結され、前記固定ブロックの中には後方へ開口した置き溝が設置され、前記置き溝には弾性復元力により復帰できる上下対称のバックルが設置され、前記固定ブロックの中には上方へ開口した斜面溝が設置され、前記接合溝の上端内壁には凹溝が設置され、前記凹溝の中には前記斜面溝と当接している引っ掛かりロッドがスライドできるように連結され、前記引っ掛かりロッドと前記凹溝の上端内壁との間には緩衝バネが連結されている。
【発明の効果】
【００１０】
本発明の有益効果は：本発明は照明付きの眼鏡により、夜盲症の人は暗い環境で路面又は物がはっきり見えない状況を緩和し、通行車両の安全を保証し、また近視と近視ではない人の異なるかけ方の設計により、使用の範囲を広め、操作が便利である。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の夜盲症患者用の眼鏡の全体構成模式図
【図２】図２は図１の「Ａ−Ａ」の構成模式図
【図３】図３は図１の「Ｂ−Ｂ」の構成模式図
【図４】図４は図３の「Ｃ−Ｃ」の構成模式図
【図５】図５は本発明装置の回路図
【発明を実施するための形態】
【００１３】
図１〜５を参照し、本発明の夜盲症患者用の眼鏡は、ブリッジ１３を含み、前記ブリッジ１３の左右端面には対称のリム１１が固定的に連結され、前記リム１１の上端には光源の明るさの変化とともに自分の抵抗値が変わる光感応モジュール１２が固定的に連結され、前記リム１１の中には前後に貫通している見チャンバ１７が設置され、前記見チャンバ１７のうち対称中心から離れている一端には後方へ開口した収納チャンバ２０が設置され、前記見チャンバ１７の上端には伝動チャンバ１５が設置され、前記伝動チャンバ１５の底端内壁には配列されるように分布している六組の光補充装置９０１がスライドできるように連結され、前記伝動チャンバ１５の底端内壁には前記光補充装置９０１に給電する左右対称の電源２５が設置され、前記電源２５と、前記光補充装置９０１と、前記光感応モジュール１２との間が閉回路を形成し、前記ブリッジ１３の中には駆動チャンバ３２が設置され、前記駆動チャンバ３２の中には左右に伸びており、且つそれぞれ前記伝動チャンバ１５と前記収納チャンバ２０とを貫通している伝動軸１４が回転できるように連結され、前記伝動軸１４には前記収納チャンバ２０の中に位置している折り畳みテンプル９０２が設置され、近視ではない夜盲症の人が当該設備をかけることに便利を与え、前記伝動軸１４には前記伝動チャンバ１５の中に位置しているカム１６が設置され、前記カム１６が前記光補充装置９０１を制御し、かける時だけ回路を通電させることができ、前記伝動軸１４には前記駆動チャンバ３２の中に位置している片方向継手装置９０３が設置され、前記ブリッジ１３の中には前記駆動チャンバ３２の上端に位置しており、且つ後方へ開口した接合溝５９が設置され、前記接合溝５９の中には前記片方向継手装置９０３を制御する固定装置９０４が設置され、前記固定装置９０４は近視眼鏡のリムに固定されることができ、近視の人がかけることに便利を与える。
【００１４】
有益的には、前記光補充装置９０１は、前記伝動チャンバ１５の底端内壁とスライドできるように連結され、且つ配列されるように分布している六つの電球２４を含み、前記電球２４の上端には前記カム１６と当接している当接板１８が固定的に連結され、前記当接板１８には前記電球２４の左右端に位置している対称の電極１９が設置され、前記電極１９と前記電源２５との間が当接でき、前記当接板１８の下側と前記伝動チャンバ１５の底端内壁との間には左右対称の復帰バネ２３が連結され、前記電球２４の中は電流の大きさの変化により、自分の明るさを変える。
【００１５】
有益的には、前記折り畳みテンプル９０２は、前記伝動軸１４に設置され、且つ前記収納チャンバ２０の中に位置しているテンプル２１を含み、前記テンプル２１の前側端面には前方へ開口しており、且つ下方へ開口している開口溝５４が設置され、前記開口溝５４の中には伸縮ロッド５５が回転できるように連結され、前記伸縮ロッド５５には回転中心一端から離れている掛けロッド５６が設置され、前記掛けロッド５６には耳と当接しているフック５８が設置され、前記伸縮ロッド５５には前記フック５８とスライドできるように連結されたスライド溝５７が設置され、前記テンプル２１の後端には回転軸５１が回転できるように連結され、前記回転軸５１にはつまみ５０が設置され、前記回転軸５１には前記つまみ５０の前端に位置している回転盤５３が設置され、前記回転盤５３と前記テンプル２１との間にはトルクバネ５２が連結され、前記回転盤５３の後側端面にはチェーンロッド４９がヒンジにより連結され、前記テンプル２１の後端端面には上下対称のスライドレール４８が設置され、前記スライドレール４８には前記チェーンロッド４９とヒンジにより連結されたロックロッド４７がスライドできるように連結され、前記収納チャンバ２０の中には前記ロックロッド４７と当接している上下対称のロック溝４６が設置され、前記ロック溝４６が前記ロックロッド４７への制限により、収納状態の安定を保証し、またそれぞれ前記テンプル２１と、前記伸縮ロッド５５と、前記掛けロッド５６とを反転させ、三者の折り畳み又は広がりにより、テンプルの機能を実現する。
【００１６】
有益的には、前記片方向継手装置９０３は、前記伝動軸１４と回転できるように連結され、且つ前記駆動チャンバ３２の中に位置しているリングギヤ２６を含み、前記リングギヤ２６の内輪には昇降溝３０が設置され、前記昇降溝３０の中には推しロッド２９がスライドできるように連結され、前記推しロッド２９と前記昇降溝３０の内壁との間には引っ張りバネ３１が連結され、前記伝動軸１４には前記推しロッド２９と当接している回し輪２７が設置され、前記接合溝５９の底端内壁には前記リングギヤ２６と噛み合うように連結された始動ロッド３３がスライドできるように連結され、前記始動ロッド３３には前記接合溝５９の中に位置している推しブロック４４が設置され、前記推しブロック４４の下側と前記接合溝５９の底端内壁との間には圧縮バネ３４が連結され、前記推しロッド２９が自身の重力のもとで、前記昇降溝３０から滑り出ることは連結状態であり、これにより前記リングギヤ２６と前記伝動軸１４とが同期回転し、前記推しロッド２９が自身の重力のもとで、前記昇降溝３０の内部にスライドすることは切断状態であり、前記リングギヤ２６と前記伝動軸１４とが同期回転しない。
【００１７】
有益的には、前記固定装置９０４は前記接合溝５９とスライドできるように連結された固定ブロック３６を含み、前記固定ブロック３６と前記推しブロック４４との間が当接して連結され、前記固定ブロック３６の中には後方へ開口した置き溝３７が設置され、前記置き溝３７には弾性復元力により復帰できる上下対称のバックル３８が設置され、前記固定ブロック３６の中には上方へ開口した斜面溝４０が設置され、前記接合溝５９の上端内壁には凹溝４２が設置され、前記凹溝４２の中には前記斜面溝４０と当接している引っ掛かりロッド４３がスライドできるように連結され、前記引っ掛かりロッド４３と前記凹溝４２の上端内壁との間には緩衝バネ４１が連結されている。
【００１８】
近視ではない人がかける時、つまみ５０を回転させ、回転軸５１により回転盤５３を連動させて反時計回りに回転させ、この時、回転盤５３はチェーンロッド４９によりロックロッド４７を引き動かして対称中心の側へ移動させ、またロックロッド４７がロック溝４６の中から滑り出て、この時、テンプル２１を後方へ九十度反転させ、この時、伝動軸１４が回転し、また後方へ伸縮ロッド５５を百八十度反転させ、最後に掛けロッド５６を百八十度反転させ、これにより三者が水平に広がるロッドになり、耳と当接して設備をかけることができる。
【００１９】
近視の人がかける時、近視眼鏡のブリッジを置き溝３７の中に推し、またバックル３８により固定し、固定ブロック３６を推し動かして前方へ移動させ、これにより引っ掛かりロッド４３が斜面溝４０の中にスライドして固定ブロック３６の左右移動を制限でき、これにより設備の左右移動を制限し、この時、固定ブロック３６が推しブロック４４を推し動かし、これにより始動ロッド３３が下方へ移動し、始動ロッド３３が噛み合いによりリングギヤ２６を回転させ、リングギヤ２６が半周回転した後、推しロッド２９が自身の重力により昇降溝３０から滑り出て、また回し輪２７と当接し、リングギヤ２６が継続して半周回転し、この時、回し輪２７により伝動軸１４を連動させて回転させる。
【００２０】
作動する時、伝動軸１４が回転してカム１６を連動させて回転させ、カム１６が当接板１８を推し動かして下方へ移動させ、この時、電極１９が電源２５と当接し、回路を通電させ、光感応モジュール１２が作動し始め、使用者の周りの環境の光の変化を根絶し、電球２４を流れる電流を変えることにより、電球２４の明るさを調節し、使用者の目の前の明るさが十分であることを保証する。
【００２１】
本発明の有益効果は：本発明は照明付きの眼鏡により、夜盲症の人は暗い環境で路面又は物がはっきり見えない状況を緩和し、通行車両の安全を保証し、また近視と近視ではない人の異なるかけ方の設計により、使用の範囲を広め、操作が便利である。
【００２２】
以上の方式により、本分野の技術者が本発明の範囲内に作動モードにより各種な変化をすることができる。
【図１】
2020184053.tif 000003
【図２】
2020184053.tif 000004
【図３】
2020184053.tif 000005
【図４】
2020184053.tif 000006
【図５】
2020184053.tif 000007
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
正面視で、ブリッジを含み、前記ブリッジの左右端面には対称のリムが固定的に連結され、前記リムの上端には光源の明るさの変化とともに自分の抵抗値が変わる光感応モジュールが固定的に連結され、前記リムの中には前後に貫通している見チャンバが設置され、前記見チャンバのうち対称中心から離れている一端には後方へ開口した収納チャンバが設置され、前記見チャンバの上端には伝動チャンバが設置され、前記伝動チャンバの底端内壁には配列されるように分布している六組の光補充装置がスライドできるように連結され、前記伝動チャンバの底端内壁には前記光補充装置に給電する左右対称の電源が設置され、前記電源と、前記光補充装置と、前記光感応モジュールとの間が閉回路を形成し、前記ブリッジの中には駆動チャンバが設置され、前記駆動チャンバの中には左右に伸びており、且つそれぞれ前記伝動チャンバと前記収納チャンバとを貫通している伝動軸が回転できるように連結され、前記伝動軸には前記収納チャンバの中に位置している折り畳みテンプルが設置され、前記折り畳みテンプルは近視ではない夜盲症の人が当該設備をかけることに便利を与え、前記伝動軸には前記伝動チャンバの中に位置しているカムが設置され、前記カムが前記光補充装置を制御し、かける時だけ回路を通電させることができ、前記伝動軸には前記駆動チャンバの中に位置している片方向継手装置が設置され、前記ブリッジの中には前記駆動チャンバの上端に位置しており、且つ後方へ開口した接合溝が設置され、前記接合溝の中には前記片方向継手装置を制御する固定装置が設置され、前記固定装置は近視眼鏡のリムに固定されることができ、前記固定装置は近視の人がかけることに便利を与えることを特徴とする夜盲症患者用の眼鏡。
【請求項２】
前記光補充装置は、前記伝動チャンバの底端内壁とスライドできるように連結され、且つ配列されるように分布している六つの電球を含み、前記電球の上端には前記カムと当接している当接板が固定的に連結され、前記当接板には前記電球の左右端に位置している対称の電極が設置され、前記電極と前記電源との間が当接でき、前記当接板の下側と前記伝動チャンバの底端内壁との間には左右対称の復帰バネが連結されたことを特徴とする請求項１に記載の夜盲症患者用の眼鏡。
【請求項３】
前記折り畳みテンプルは、前記伝動軸に設置され、且つ前記収納チャンバの中に位置しているテンプルを含み、前記テンプルの前側端面には前方へ開口しており、且つ下方へ開口している開口溝が設置され、前記開口溝の中には伸縮ロッドが回転できるように連結され、前記伸縮ロッドには回転中心一端から離れている掛けロッドが設置され、前記掛けロッドには耳と当接しているフックが設置され、前記伸縮ロッドには前記フックとスライドできるように連結されたスライド溝が設置され、前記テンプルの後端には回転軸が回転できるように連結され、前記回転軸にはつまみが設置され、前記回転軸には前記つまみの前端に位置している回転盤が設置され、前記回転盤と前記テンプルとの間にはトルクバネが連結され、前記回転盤の後側端面にはチェーンロッドがヒンジにより連結され、前記テンプルの後端端面には上下対称のスライドレールが設置され、前記スライドレールには前記チェーンロッドとヒンジにより連結されたロックロッドがスライドできるように連結され、前記収納チャンバの中には前記ロックロッドと当接している上下対称のロック溝が設置されたことを特徴とする請求項１に記載の夜盲症患者用の眼鏡。
【請求項４】
前記片方向継手装置は、前記伝動軸と回転できるように連結され、且つ前記駆動チャンバの中に位置しているリングギヤを含み、前記リングギヤの内輪には昇降溝が設置され、前記昇降溝の中には推しロッドがスライドできるように連結され、前記推しロッドと前記昇降溝の内壁との間には引っ張りバネが連結され、前記伝動軸には前記推しロッドと当接している回し輪が設置され、前記接合溝の底端内壁には前記リングギヤと噛み合うように連結された始動ロッドがスライドできるように連結され、前記始動ロッドには前記接合溝の中に位置している推しブロックが設置され、前記推しブロックの下側と前記接合溝の底端内壁との間には圧縮バネが連結されたことを特徴とする請求項１に記載の夜盲症患者用の眼鏡。
【請求項５】
前記固定装置は前記接合溝とスライドできるように連結された固定ブロックを含み、前記固定ブロックと前記推しブロックとの間が当接して連結され、前記固定ブロックの中には後方へ開口した置き溝が設置され、前記置き溝には弾性復元力により復帰できる上下対称のバックルが設置され、前記固定ブロックの中には上方へ開口した斜面溝が設置され、前記接合溝の上端内壁には凹溝が設置され、前記凹溝の中には前記斜面溝と当接している引っ掛かりロッドがスライドできるように連結され、前記引っ掛かりロッドと前記凹溝の上端内壁との間には緩衝バネが連結されていることを特徴とする請求項４に記載の夜盲症患者用の眼鏡。
【手続補正２】
【補正対象書類名】明細書
【補正対象項目名】全文
【補正方法】変更
【補正の内容】
【発明の詳細な説明】
【技術分野】
【０００１】
本発明は眼鏡技術分野を取り上げて、具体的には夜盲症患者用の眼鏡である。
【背景技術】
【０００２】
夜盲症患者が夜に出かける時、危険の程度が普通の人よりよほど高く、特に街灯のない道で歩く又は運転することには、危険が潜んでおり、しかし、現段階では夜盲症患者専用の眼鏡はまだなく、本発明は上記の問題を解決できる装置を開示した。
【先行技術文献】
【特許文献】
【０００３】
【特許文献１】中国特許出願公開第１００５８２８７０号明細書
【発明の概要】
【発明が解決しようとする課題】
【０００４】
本発明は夜盲症患者用の眼鏡を提供し、従来技術における上記欠点を解消することを目的とする。
【課題を解決するための手段】
【０００５】
本発明の夜盲症患者用の眼鏡は、ブリッジを含み、前記ブリッジの左右端面には対称のリムが固定的に連結され、前記リムの上端には光源の明るさの変化とともに自分の抵抗値が変わる光感応モジュールが固定的に連結され、前記リムの中には前後に貫通している見チャンバが設置され、前記見チャンバのうち対称中心から離れている一端には後方へ開口した収納チャンバが設置され、前記見チャンバの上端には伝動チャンバが設置され、前記伝動チャンバの底端内壁には配列されるように分布している六組の光補充装置がスライドできるように連結され、前記伝動チャンバの底端内壁には前記光補充装置に給電する左右対称の電源が設置され、前記電源と、前記光補充装置と、前記光感応モジュールとの間が閉回路を形成し、前記ブリッジの中には駆動チャンバが設置され、前記駆動チャンバの中には左右に伸びており、且つそれぞれ前記伝動チャンバと前記収納チャンバとを貫通している伝動軸が回転できるように連結され、前記伝動軸には前記収納チャンバの中に位置している折り畳みテンプルが設置され、前記折り畳みテンプルは近視ではない夜盲症の人が当該設備をかけることに便利を与え、前記伝動軸には前記伝動チャンバの中に位置しているカムが設置され、前記カムが前記光補充装置を制御し、かける時だけ回路を通電させることができ、前記伝動軸には前記駆動チャンバの中に位置している片方向継手装置が設置され、前記ブリッジの中には前記駆動チャンバの上端に位置しており、且つ後方へ開口した接合溝が設置され、前記接合溝の中には前記片方向継手装置を制御する固定装置が設置され、前記固定装置は近視眼鏡のリムに固定されることができ、前記固定装置は近視の人がかけることに便利を与える。
【０００６】
好ましくは、前記光補充装置は、前記伝動チャンバの底端内壁とスライドできるように連結され、且つ配列されるように分布している六つの電球を含み、前記電球の上端には前記カムと当接している当接板が固定的に連結され、前記当接板には前記電球の左右端に位置している対称の電極が設置され、前記電極と前記電源との間が当接でき、前記当接板の下側と前記伝動チャンバの底端内壁との間には左右対称の復帰バネが連結され、前記電球の中は電流の大きさの変化により、自分の明るさを変える。
【０００７】
好ましくは、前記折り畳みテンプルは、前記伝動軸に設置され、且つ前記収納チャンバの中に位置しているテンプルを含み、前記テンプルの前側端面には前方へ開口しており、且つ下方へ開口している開口溝が設置され、前記開口溝の中には伸縮ロッドが回転できるように連結され、前記伸縮ロッドには回転中心一端から離れている掛けロッドが設置され、前記掛けロッドには耳と当接しているフックが設置され、前記伸縮ロッドには前記フックとスライドできるように連結されたスライド溝が設置され、前記テンプルの後端には回転軸が回転できるように連結され、前記回転軸にはつまみが設置され、前記回転軸には前記つまみの前端に位置している回転盤が設置され、前記回転盤と前記テンプルとの間にはトルクバネが連結され、前記回転盤の後側端面にはチェーンロッドがヒンジにより連結され、前記テンプルの後端端面には上下対称のスライドレールが設置され、前記スライドレールには前記チェーンロッドとヒンジにより連結されたロックロッドがスライドできるように連結され、前記収納チャンバの中には前記ロックロッドと当接している上下対称のロック溝が設置され、前記ロック溝が前記ロックロッドへの制限により、収納状態の安定を保証し、またそれぞれ前記テンプルと、前記伸縮ロッドと、前記掛けロッドとを反転させ、三者の折り畳み又は広がりにより、テンプルの機能を実現する。
【０００８】
好ましくは、前記片方向継手装置は、前記伝動軸と回転できるように連結され、且つ前記駆動チャンバの中に位置しているリングギヤを含み、前記リングギヤの内輪には昇降溝が設置され、前記昇降溝の中には推しロッドがスライドできるように連結され、前記推しロッドと前記昇降溝の内壁との間には引っ張りバネが連結され、前記伝動軸には前記推しロッドと当接している回し輪が設置され、前記接合溝の底端内壁には前記リングギヤと噛み合うように連結された始動ロッドがスライドできるように連結され、前記始動ロッドには前記接合溝の中に位置している推しブロックが設置され、前記推しブロックの下側と前記接合溝の底端内壁との間には圧縮バネが連結され、前記推しロッドが自身の重力のもとで、前記昇降溝から滑り出ることは連結状態であり、これにより前記リングギヤと前記伝動軸とが同期回転し、前記推しロッドが自身の重力のもとで、前記昇降溝の内部にスライドすることは切断状態であり、前記リングギヤと前記伝動軸とが同期回転しない。
【０００９】
好ましくは、前記固定装置は前記接合溝とスライドできるように連結された固定ブロックを含み、前記固定ブロックと前記推しブロックとの間が当接して連結され、前記固定ブロックの中には後方へ開口した置き溝が設置され、前記置き溝には弾性復元力により復帰できる上下対称のバックルが設置され、前記固定ブロックの中には上方へ開口した斜面溝が設置され、前記接合溝の上端内壁には凹溝が設置され、前記凹溝の中には前記斜面溝と当接している引っ掛かりロッドがスライドできるように連結され、前記引っ掛かりロッドと前記凹溝の上端内壁との間には緩衝バネが連結されている。
【発明の効果】
【００１０】
本発明の有益効果は：本発明は照明付きの眼鏡により、夜盲症の人は暗い環境で路面又は物がはっきり見えない状況を緩和し、通行車両の安全を保証し、また近視と近視ではない人の異なるかけ方の設計により、使用の範囲を広め、操作が便利である。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の夜盲症患者用の眼鏡の全体構成模式図
【図２】図２は図１の「Ａ−Ａ」の構成模式図
【図３】図３は図１の「Ｂ−Ｂ」の構成模式図
【図４】図４は図３の「Ｃ−Ｃ」の構成模式図
【図５】図５は本発明装置の回路図
【発明を実施するための形態】
【００１３】
図１〜５を参照し、本発明の夜盲症患者用の眼鏡は、ブリッジ１３を含み、前記ブリッジ１３の左右端面には対称のリム１１が固定的に連結され、前記リム１１の上端には光源の明るさの変化とともに自分の抵抗値が変わる光感応モジュール１２が固定的に連結され、前記リム１１の中には前後に貫通している見チャンバ１７が設置され、前記見チャンバ１７のうち対称中心から離れている一端には後方へ開口した収納チャンバ２０が設置され、前記見チャンバ１７の上端には伝動チャンバ１５が設置され、前記伝動チャンバ１５の底端内壁には配列されるように分布している六組の光補充装置９０１がスライドできるように連結され、前記伝動チャンバ１５の底端内壁には前記光補充装置９０１に給電する左右対称の電源２５が設置され、前記電源２５と、前記光補充装置９０１と、前記光感応モジュール１２との間が閉回路を形成し、前記ブリッジ１３の中には駆動チャンバ３２が設置され、前記駆動チャンバ３２の中には左右に伸びており、且つそれぞれ前記伝動チャンバ１５と前記収納チャンバ２０とを貫通している伝動軸１４が回転できるように連結され、前記伝動軸１４には前記収納チャンバ２０の中に位置している折り畳みテンプル９０２が設置され、前記折り畳みテンプル９０２は近視ではない夜盲症の人が当該設備をかけることに便利を与え、前記伝動軸１４には前記伝動チャンバ１５の中に位置しているカム１６が設置され、前記カム１６が前記光補充装置９０１を制御し、かける時だけ回路を通電させることができ、前記伝動軸１４には前記駆動チャンバ３２の中に位置している片方向継手装置９０３が設置され、前記ブリッジ１３の中には前記駆動チャンバ３２の上端に位置しており、且つ後方へ開口した接合溝５９が設置され、前記接合溝５９の中には前記片方向継手装置９０３を制御する固定装置９０４が設置され、前記固定装置９０４は近視眼鏡のリムに固定されることができ、前記固定装置９０４は近視の人がかけることに便利を与える。
【００１４】
有益的には、前記光補充装置９０１は、前記伝動チャンバ１５の底端内壁とスライドできるように連結され、且つ配列されるように分布している六つの電球２４を含み、前記電球２４の上端には前記カム１６と当接している当接板１８が固定的に連結され、前記当接板１８には前記電球２４の左右端に位置している対称の電極１９が設置され、前記電極１９と前記電源２５との間が当接でき、前記当接板１８の下側と前記伝動チャンバ１５の底端内壁との間には左右対称の復帰バネ２３が連結され、前記電球２４の中は電流の大きさの変化により、自分の明るさを変える。
【００１５】
有益的には、前記折り畳みテンプル９０２は、前記伝動軸１４に設置され、且つ前記収納チャンバ２０の中に位置しているテンプル２１を含み、前記テンプル２１の前側端面には前方へ開口しており、且つ下方へ開口している開口溝５４が設置され、前記開口溝５４の中には伸縮ロッド５５が回転できるように連結され、前記伸縮ロッド５５には回転中心一端から離れている掛けロッド５６が設置され、前記掛けロッド５６には耳と当接しているフック５８が設置され、前記伸縮ロッド５５には前記フック５８とスライドできるように連結されたスライド溝５７が設置され、前記テンプル２１の後端には回転軸５１が回転できるように連結され、前記回転軸５１にはつまみ５０が設置され、前記回転軸５１には前記つまみ５０の前端に位置している回転盤５３が設置され、前記回転盤５３と前記テンプル２１との間にはトルクバネ５２が連結され、前記回転盤５３の後側端面にはチェーンロッド４９がヒンジにより連結され、前記テンプル２１の後端端面には上下対称のスライドレール４８が設置され、前記スライドレール４８には前記チェーンロッド４９とヒンジにより連結されたロックロッド４７がスライドできるように連結され、前記収納チャンバ２０の中には前記ロックロッド４７と当接している上下対称のロック溝４６が設置され、前記ロック溝４６が前記ロックロッド４７への制限により、収納状態の安定を保証し、またそれぞれ前記テンプル２１と、前記伸縮ロッド５５と、前記掛けロッド５６とを反転させ、三者の折り畳み又は広がりにより、テンプルの機能を実現する。
【００１６】
有益的には、前記片方向継手装置９０３は、前記伝動軸１４と回転できるように連結され、且つ前記駆動チャンバ３２の中に位置しているリングギヤ２６を含み、前記リングギヤ２６の内輪には昇降溝３０が設置され、前記昇降溝３０の中には推しロッド２９がスライドできるように連結され、前記推しロッド２９と前記昇降溝３０の内壁との間には引っ張りバネ３１が連結され、前記伝動軸１４には前記推しロッド２９と当接している回し輪２７が設置され、前記接合溝５９の底端内壁には前記リングギヤ２６と噛み合うように連結された始動ロッド３３がスライドできるように連結され、前記始動ロッド３３には前記接合溝５９の中に位置している推しブロック４４が設置され、前記推しブロック４４の下側と前記接合溝５９の底端内壁との間には圧縮バネ３４が連結され、前記推しロッド２９が自身の重力のもとで、前記昇降溝３０から滑り出ることは連結状態であり、これにより前記リングギヤ２６と前記伝動軸１４とが同期回転し、前記推しロッド２９が自身の重力のもとで、前記昇降溝３０の内部にスライドすることは切断状態であり、前記リングギヤ２６と前記伝動軸１４とが同期回転しない。
【００１７】
有益的には、前記固定装置９０４は前記接合溝５９とスライドできるように連結された固定ブロック３６を含み、前記固定ブロック３６と前記推しブロック４４との間が当接して連結され、前記固定ブロック３６の中には後方へ開口した置き溝３７が設置され、前記置き溝３７には弾性復元力により復帰できる上下対称のバックル３８が設置され、前記固定ブロック３６の中には上方へ開口した斜面溝４０が設置され、前記接合溝５９の上端内壁には凹溝４２が設置され、前記凹溝４２の中には前記斜面溝４０と当接している引っ掛かりロッド４３がスライドできるように連結され、前記引っ掛かりロッド４３と前記凹溝４２の上端内壁との間には緩衝バネ４１が連結されている。
【００１８】
近視ではない人がかける時、つまみ５０を回転させ、回転軸５１により回転盤５３を連動させて反時計回りに回転させ、この時、回転盤５３はチェーンロッド４９によりロックロッド４７を引き動かして対称中心の側へ移動させ、またロックロッド４７がロック溝４６の中から滑り出て、この時、テンプル２１を後方へ九十度反転させ、この時、伝動軸１４が回転し、また後方へ伸縮ロッド５５を百八十度反転させ、最後に掛けロッド５６を百八十度反転させ、これにより三者が水平に広がるロッドになり、耳と当接して設備をかけることができる。
【００１９】
近視の人がかける時、近視眼鏡のブリッジを置き溝３７の中に推し、またバックル３８により固定し、固定ブロック３６を推し動かして前方へ移動させ、これにより引っ掛かりロッド４３が斜面溝４０の中にスライドして固定ブロック３６の左右移動を制限でき、これにより設備の左右移動を制限し、この時、固定ブロック３６が推しブロック４４を推し動かし、これにより始動ロッド３３が下方へ移動し、始動ロッド３３が噛み合いによりリングギヤ２６を回転させ、リングギヤ２６が半周回転した後、推しロッド２９が自身の重力により昇降溝３０から滑り出て、また回し輪２７と当接し、リングギヤ２６が継続して半周回転し、この時、回し輪２７により伝動軸１４を連動させて回転させる。
【００２０】
作動する時、伝動軸１４が回転してカム１６を連動させて回転させ、カム１６が当接板１８を推し動かして下方へ移動させ、この時、電極１９が電源２５と当接し、回路を通電させ、光感応モジュール１２が作動し始め、使用者の周りの環境の光の変化を根絶し、電球２４を流れる電流を変えることにより、電球２４の明るさを調節し、使用者の目の前の明るさが十分であることを保証する。
【００２１】
本発明の有益効果は：本発明は照明付きの眼鏡により、夜盲症の人は暗い環境で路面又は物がはっきり見えない状況を緩和し、通行車両の安全を保証し、また近視と近視ではない人の異なるかけ方の設計により、使用の範囲を広め、操作が便利である。
【００２２】
以上の方式により、本分野の技術者が本発明の範囲内に作動モードにより各種な変化をすることができる。
【手続補正書】
【提出日】令和2年4月22日(2020.4.22)
【手続補正１】
【補正対象書類名】特許請求の範囲
【補正対象項目名】請求項１
【補正方法】変更
【補正の内容】
【請求項１】
正面視で、ブリッジを含み、前記ブリッジの左右端面には対称のリムが固定的に連結され、前記リムの上端には光源の明るさの変化とともに自分の抵抗値が変わる光感応モジュールが固定的に連結され、前記リムの中には前後に貫通している見チャンバが設置され、前記見チャンバのうち対称中心から離れている一端には後方へ開口した収納チャンバが設置され、前記見チャンバの上端には伝動チャンバが設置され、前記伝動チャンバの底端内壁には配列されるように分布している六組の光補充装置がスライドできるように連結され、前記伝動チャンバの底端内壁には前記光補充装置に給電する左右対称の電源が設置され、前記電源と、前記光補充装置と、前記光感応モジュールとの間が閉回路を形成し、前記ブリッジの中には駆動チャンバが設置され、前記駆動チャンバの中には左右に伸びており、且つそれぞれ前記伝動チャンバと前記収納チャンバとを貫通している伝動軸が回転できるように連結され、前記伝動軸には前記収納チャンバの中に位置している折り畳みテンプルが設置され、前記折り畳みテンプルは近視ではない夜盲症の人が本願発明の眼鏡をかけることに便利を与え、前記伝動軸には前記伝動チャンバの中に位置しているカムが設置され、前記カムが前記光補充装置を制御し、かける時だけ回路を通電させることができ、前記伝動軸には前記駆動チャンバの中に位置している片方向継手装置が設置され、前記ブリッジの中には前記駆動チャンバの上端に位置しており、且つ後方へ開口した接合溝が設置され、前記接合溝の中には前記片方向継手装置を制御する固定装置が設置され、前記固定装置は近視眼鏡のリムに固定されることができ、前記固定装置は近視の人がかけることに便利を与えることを特徴とする夜盲症患者用の眼鏡。
【手続補正２】
【補正対象書類名】明細書
【補正対象項目名】全文
【補正方法】変更
【補正の内容】
【発明の詳細な説明】
【技術分野】
【０００１】
本発明は眼鏡技術分野を取り上げて、具体的には夜盲症患者用の眼鏡である。
【背景技術】
【０００２】
夜盲症患者が夜に出かける時、危険の程度が普通の人よりよほど高く、特に街灯のない道で歩く又は運転することには、危険が潜んでおり、しかし、現段階では夜盲症患者専用の眼鏡はまだなく、本発明は上記の問題を解決できる装置を開示した。
【先行技術文献】
【特許文献】
【０００３】
【特許文献１】中国特許出願公開第１００５８２８７０号明細書
【発明の概要】
【発明が解決しようとする課題】
【０００４】
本発明は夜盲症患者用の眼鏡を提供し、従来技術における上記欠点を解消することを目的とする。
【課題を解決するための手段】
【０００５】
本発明の夜盲症患者用の眼鏡は、ブリッジを含み、前記ブリッジの左右端面には対称のリムが固定的に連結され、前記リムの上端には光源の明るさの変化とともに自分の抵抗値が変わる光感応モジュールが固定的に連結され、前記リムの中には前後に貫通している見チャンバが設置され、前記見チャンバのうち対称中心から離れている一端には後方へ開口した収納チャンバが設置され、前記見チャンバの上端には伝動チャンバが設置され、前記伝動チャンバの底端内壁には配列されるように分布している六組の光補充装置がスライドできるように連結され、前記伝動チャンバの底端内壁には前記光補充装置に給電する左右対称の電源が設置され、前記電源と、前記光補充装置と、前記光感応モジュールとの間が閉回路を形成し、前記ブリッジの中には駆動チャンバが設置され、前記駆動チャンバの中には左右に伸びており、且つそれぞれ前記伝動チャンバと前記収納チャンバとを貫通している伝動軸が回転できるように連結され、前記伝動軸には前記収納チャンバの中に位置している折り畳みテンプルが設置され、前記折り畳みテンプルは近視ではない夜盲症の人が本願発明の眼鏡をかけることに便利を与え、前記伝動軸には前記伝動チャンバの中に位置しているカムが設置され、前記カムが前記光補充装置を制御し、かける時だけ回路を通電させることができ、前記伝動軸には前記駆動チャンバの中に位置している片方向継手装置が設置され、前記ブリッジの中には前記駆動チャンバの上端に位置しており、且つ後方へ開口した接合溝が設置され、前記接合溝の中には前記片方向継手装置を制御する固定装置が設置され、前記固定装置は近視眼鏡のリムに固定されることができ、前記固定装置は近視の人がかけることに便利を与える。
【０００６】
好ましくは、前記光補充装置は、前記伝動チャンバの底端内壁とスライドできるように連結され、且つ配列されるように分布している六つの電球を含み、前記電球の上端には前記カムと当接している当接板が固定的に連結され、前記当接板には前記電球の左右端に位置している対称の電極が設置され、前記電極と前記電源との間が当接でき、前記当接板の下側と前記伝動チャンバの底端内壁との間には左右対称の復帰バネが連結され、前記電球の中は電流の大きさの変化により、自分の明るさを変える。
【０００７】
好ましくは、前記折り畳みテンプルは、前記伝動軸に設置され、且つ前記収納チャンバの中に位置しているテンプルを含み、前記テンプルの前側端面には前方へ開口しており、且つ下方へ開口している開口溝が設置され、前記開口溝の中には伸縮ロッドが回転できるように連結され、前記伸縮ロッドには回転中心一端から離れている掛けロッドが設置され、前記掛けロッドには耳と当接しているフックが設置され、前記伸縮ロッドには前記フックとスライドできるように連結されたスライド溝が設置され、前記テンプルの後端には回転軸が回転できるように連結され、前記回転軸にはつまみが設置され、前記回転軸には前記つまみの前端に位置している回転盤が設置され、前記回転盤と前記テンプルとの間にはトルクバネが連結され、前記回転盤の後側端面にはチェーンロッドがヒンジにより連結され、前記テンプルの後端端面には上下対称のスライドレールが設置され、前記スライドレールには前記チェーンロッドとヒンジにより連結されたロックロッドがスライドできるように連結され、前記収納チャンバの中には前記ロックロッドと当接している上下対称のロック溝が設置され、前記ロック溝が前記ロックロッドへの制限により、収納状態の安定を保証し、またそれぞれ前記テンプルと、前記伸縮ロッドと、前記掛けロッドとを反転させ、三者の折り畳み又は広がりにより、テンプルの機能を実現する。
【０００８】
好ましくは、前記片方向継手装置は、前記伝動軸と回転できるように連結され、且つ前記駆動チャンバの中に位置しているリングギヤを含み、前記リングギヤの内輪には昇降溝が設置され、前記昇降溝の中には推しロッドがスライドできるように連結され、前記推しロッドと前記昇降溝の内壁との間には引っ張りバネが連結され、前記伝動軸には前記推しロッドと当接している回し輪が設置され、前記接合溝の底端内壁には前記リングギヤと噛み合うように連結された始動ロッドがスライドできるように連結され、前記始動ロッドには前記接合溝の中に位置している推しブロックが設置され、前記推しブロックの下側と前記接合溝の底端内壁との間には圧縮バネが連結され、前記推しロッドが自身の重力のもとで、前記昇降溝から滑り出ることは連結状態であり、これにより前記リングギヤと前記伝動軸とが同期回転し、前記推しロッドが自身の重力のもとで、前記昇降溝の内部にスライドすることは切断状態であり、前記リングギヤと前記伝動軸とが同期回転しない。
【０００９】
好ましくは、前記固定装置は前記接合溝とスライドできるように連結された固定ブロックを含み、前記固定ブロックと前記推しブロックとの間が当接して連結され、前記固定ブロックの中には後方へ開口した置き溝が設置され、前記置き溝には弾性復元力により復帰できる上下対称のバックルが設置され、前記固定ブロックの中には上方へ開口した斜面溝が設置され、前記接合溝の上端内壁には凹溝が設置され、前記凹溝の中には前記斜面溝と当接している引っ掛かりロッドがスライドできるように連結され、前記引っ掛かりロッドと前記凹溝の上端内壁との間には緩衝バネが連結されている。
【発明の効果】
【００１０】
本発明の有益効果は：本発明は照明付きの眼鏡により、夜盲症の人は暗い環境で路面又は物がはっきり見えない状況を緩和し、通行車両の安全を保証し、また近視と近視ではない人の異なるかけ方の設計により、使用の範囲を広め、操作が便利である。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の夜盲症患者用の眼鏡の全体構成模式図
【図２】図２は図１の「Ａ−Ａ」の構成模式図
【図３】図３は図１の「Ｂ−Ｂ」の構成模式図
【図４】図４は図３の「Ｃ−Ｃ」の構成模式図
【図５】図５は本発明装置の回路図
【発明を実施するための形態】
【００１３】
図１〜５を参照し、本発明の夜盲症患者用の眼鏡は、ブリッジ１３を含み、前記ブリッジ１３の左右端面には対称のリム１１が固定的に連結され、前記リム１１の上端には光源の明るさの変化とともに自分の抵抗値が変わる光感応モジュール１２が固定的に連結され、前記リム１１の中には前後に貫通している見チャンバ１７が設置され、前記見チャンバ１７のうち対称中心から離れている一端には後方へ開口した収納チャンバ２０が設置され、前記見チャンバ１７の上端には伝動チャンバ１５が設置され、前記伝動チャンバ１５の底端内壁には配列されるように分布している六組の光補充装置９０１がスライドできるように連結され、前記伝動チャンバ１５の底端内壁には前記光補充装置９０１に給電する左右対称の電源２５が設置され、前記電源２５と、前記光補充装置９０１と、前記光感応モジュール１２との間が閉回路を形成し、前記ブリッジ１３の中には駆動チャンバ３２が設置され、前記駆動チャンバ３２の中には左右に伸びており、且つそれぞれ前記伝動チャンバ１５と前記収納チャンバ２０とを貫通している伝動軸１４が回転できるように連結され、前記伝動軸１４には前記収納チャンバ２０の中に位置している折り畳みテンプル９０２が設置され、前記折り畳みテンプル９０２は近視ではない夜盲症の人が本願発明の眼鏡をかけることに便利を与え、前記伝動軸１４には前記伝動チャンバ１５の中に位置しているカム１６が設置され、前記カム１６が前記光補充装置９０１を制御し、かける時だけ回路を通電させることができ、前記伝動軸１４には前記駆動チャンバ３２の中に位置している片方向継手装置９０３が設置され、前記ブリッジ１３の中には前記駆動チャンバ３２の上端に位置しており、且つ後方へ開口した接合溝５９が設置され、前記接合溝５９の中には前記片方向継手装置９０３を制御する固定装置９０４が設置され、前記固定装置９０４は近視眼鏡のリムに固定されることができ、前記固定装置９０４は近視の人がかけることに便利を与える。
【００１４】
有益的には、前記光補充装置９０１は、前記伝動チャンバ１５の底端内壁とスライドできるように連結され、且つ配列されるように分布している六つの電球２４を含み、前記電球２４の上端には前記カム１６と当接している当接板１８が固定的に連結され、前記当接板１８には前記電球２４の左右端に位置している対称の電極１９が設置され、前記電極１９と前記電源２５との間が当接でき、前記当接板１８の下側と前記伝動チャンバ１５の底端内壁との間には左右対称の復帰バネ２３が連結され、前記電球２４の中は電流の大きさの変化により、自分の明るさを変える。
【００１５】
有益的には、前記折り畳みテンプル９０２は、前記伝動軸１４に設置され、且つ前記収納チャンバ２０の中に位置しているテンプル２１を含み、前記テンプル２１の前側端面には前方へ開口しており、且つ下方へ開口している開口溝５４が設置され、前記開口溝５４の中には伸縮ロッド５５が回転できるように連結され、前記伸縮ロッド５５には回転中心一端から離れている掛けロッド５６が設置され、前記掛けロッド５６には耳と当接しているフック５８が設置され、前記伸縮ロッド５５には前記フック５８とスライドできるように連結されたスライド溝５７が設置され、前記テンプル２１の後端には回転軸５１が回転できるように連結され、前記回転軸５１にはつまみ５０が設置され、前記回転軸５１には前記つまみ５０の前端に位置している回転盤５３が設置され、前記回転盤５３と前記テンプル２１との間にはトルクバネ５２が連結され、前記回転盤５３の後側端面にはチェーンロッド４９がヒンジにより連結され、前記テンプル２１の後端端面には上下対称のスライドレール４８が設置され、前記スライドレール４８には前記チェーンロッド４９とヒンジにより連結されたロックロッド４７がスライドできるように連結され、前記収納チャンバ２０の中には前記ロックロッド４７と当接している上下対称のロック溝４６が設置され、前記ロック溝４６が前記ロックロッド４７への制限により、収納状態の安定を保証し、またそれぞれ前記テンプル２１と、前記伸縮ロッド５５と、前記掛けロッド５６とを反転させ、三者の折り畳み又は広がりにより、テンプルの機能を実現する。
【００１６】
有益的には、前記片方向継手装置９０３は、前記伝動軸１４と回転できるように連結され、且つ前記駆動チャンバ３２の中に位置しているリングギヤ２６を含み、前記リングギヤ２６の内輪には昇降溝３０が設置され、前記昇降溝３０の中には推しロッド２９がスライドできるように連結され、前記推しロッド２９と前記昇降溝３０の内壁との間には引っ張りバネ３１が連結され、前記伝動軸１４には前記推しロッド２９と当接している回し輪２７が設置され、前記接合溝５９の底端内壁には前記リングギヤ２６と噛み合うように連結された始動ロッド３３がスライドできるように連結され、前記始動ロッド３３には前記接合溝５９の中に位置している推しブロック４４が設置され、前記推しブロック４４の下側と前記接合溝５９の底端内壁との間には圧縮バネ３４が連結され、前記推しロッド２９が自身の重力のもとで、前記昇降溝３０から滑り出ることは連結状態であり、これにより前記リングギヤ２６と前記伝動軸１４とが同期回転し、前記推しロッド２９が自身の重力のもとで、前記昇降溝３０の内部にスライドすることは切断状態であり、前記リングギヤ２６と前記伝動軸１４とが同期回転しない。
【００１７】
有益的には、前記固定装置９０４は前記接合溝５９とスライドできるように連結された固定ブロック３６を含み、前記固定ブロック３６と前記推しブロック４４との間が当接して連結され、前記固定ブロック３６の中には後方へ開口した置き溝３７が設置され、前記置き溝３７には弾性復元力により復帰できる上下対称のバックル３８が設置され、前記固定ブロック３６の中には上方へ開口した斜面溝４０が設置され、前記接合溝５９の上端内壁には凹溝４２が設置され、前記凹溝４２の中には前記斜面溝４０と当接している引っ掛かりロッド４３がスライドできるように連結され、前記引っ掛かりロッド４３と前記凹溝４２の上端内壁との間には緩衝バネ４１が連結されている。
【００１８】
近視ではない人がかける時、つまみ５０を回転させ、回転軸５１により回転盤５３を連動させて反時計回りに回転させ、この時、回転盤５３はチェーンロッド４９によりロックロッド４７を引き動かして対称中心の側へ移動させ、またロックロッド４７がロック溝４６の中から滑り出て、この時、テンプル２１を後方へ九十度反転させ、この時、伝動軸１４が回転し、また後方へ伸縮ロッド５５を百八十度反転させ、最後に掛けロッド５６を百八十度反転させ、これにより三者が水平に広がるロッドになり、耳と当接して本願発明の眼鏡をかけることができる。
【００１９】
近視の人がかける時、近視眼鏡のブリッジを置き溝３７の中に推し、またバックル３８により固定し、固定ブロック３６を推し動かして前方へ移動させ、これにより引っ掛かりロッド４３が斜面溝４０の中にスライドして固定ブロック３６の左右移動を制限でき、これにより本願発明の眼鏡の左右移動を制限し、この時、固定ブロック３６が推しブロック４４を推し動かし、これにより始動ロッド３３が下方へ移動し、始動ロッド３３が噛み合いによりリングギヤ２６を回転させ、リングギヤ２６が半周回転した後、推しロッド２９が自身の重力により昇降溝３０から滑り出て、また回し輪２７と当接し、リングギヤ２６が継続して半周回転し、この時、回し輪２７により伝動軸１４を連動させて回転させる。
【００２０】
作動する時、伝動軸１４が回転してカム１６を連動させて回転させ、カム１６が当接板１８を推し動かして下方へ移動させ、この時、電極１９が電源２５と当接し、回路を通電させ、光感応モジュール１２が作動し始め、使用者の周りの環境の光の変化を根絶し、電球２４を流れる電流を変えることにより、電球２４の明るさを調節し、使用者の目の前の明るさが十分であることを保証する。
【００２１】
本発明の有益効果は：本発明は照明付きの眼鏡により、夜盲症の人は暗い環境で路面又は物がはっきり見えない状況を緩和し、通行車両の安全を保証し、また近視と近視ではない人の異なるかけ方の設計により、使用の範囲を広め、操作が便利である。
【００２２】
以上の方式により、本分野の技術者が本発明の範囲内に作動モードにより各種な変化をすることができる。